(57)【要約】【課題】  血液，尿等の生体サンプル中の目的成分の濃度または、有無を測定する自動分析装置において、結果の報告時間を知りたい検体の分析状況がわかりやすいユーザインターフェースを備えた自動分析装置を提供することにある。【解決手段】  オペレーション中に常時操作画面上に表示されている緊急検体モニタ表示ボタンと、該緊急検体モニタ表示ボタンの操作により、緊急検体に指定された検体の識別番号と、該緊急検体の分析状況を前記操作画面に一覧表示する制御手段と、を備えた自動分析装置。【選択図】図３
2006242660.tif 000002
【特許請求の範囲】
【請求項１】
オペレーション中に常時操作画面上に表示されている緊急検体モニタ表示ボタンと、
該緊急検体モニタ表示ボタンの操作により、緊急検体に指定された検体の識別番号と、該緊急検体の分析状況を前記操作画面に一覧表示する制御手段と、
を備えたことを特徴とする自動分析装置。
【請求項２】
請求項１記載の自動分析装置において、
前記緊急検体の分析状況は、該緊急検体に割り付けられた分析項目の数をセル表示し、分析が終了したセルを分析が終了していないセルと色分け表示したことを特徴とする自動分析装置。
【請求項３】
請求項１または２記載の自動分析装置において、
前記緊急検体の分析状況は、該緊急検体に割り付けられた分析が全て終了する予想時刻の表示を含むことを特徴とする自動分析装置。
【請求項４】
請求項１〜３のいずれかに記載の自動分析装置において、
一覧表示された緊急検体のいずれかを指定すると、指定された緊急検体に割り付けられた分析項目のうち、分析が終了しているものについては分析結果を、分析が終了していないものについては、分析中である旨を表示する機能を備えたことを特徴とする自動分析装置。
【請求項５】
請求項１記載の自動分析装置において、
緊急検体モニタ表示ボタンには、予め設定された分析項目のセットの種類に応じて、現時点で緊急検体を投入した場合に、どの程度の時間で分析が終了するかの目安時間を表示する機能を備えたことを特徴とする自動分析装置。
【発明の詳細な説明】
【技術分野】
【０００１】
本発明は、血液，尿等の生体サンプルの定性・定量分析を行う自動分析装置に係り、特に検体（サンプル）の分析状態をモニターする機能を備えた自動分析装置に関する。
【背景技術】
【０００２】
自動分析装置は、血液，尿等の生体サンプル中の目的成分の濃度または、有無を測定するものである。用手法により検査技師が測定するのに比べ、分析速度，分析精度(再現性)が高いため、大病院，検査センタを中心に普及が進んでいる。一般的な自動分析装置は、多数の検体の分析を並行して行うことができるため、多量の検体の分析を短時間で行うことができる。その場合、特定の検体の分析がいつ終了するかを知る（または予測する）ことができれば便利である。このような目的を達成するための技術として、特許文献１には分析過程を複数の区間にわけ、それぞれの区間の平均所要時間を記憶しておき、その平均所要時間の情報を用いて、分析の終了時刻（結果の報告時刻）を予想する技術が開示されている。
【０００３】
【特許文献１】特開２００３−２７９５８２号公報
【発明の開示】
【発明が解決しようとする課題】
【０００４】
特許文献１記載の技術は、区間（イベント）毎の過去の処理平均時間の情報に基づいて、すべての検体について分析終了時刻（分析結果の報告時刻）を予測する。しかし、通常、オペレータはすべての分析結果について分析結果の報告時刻を知りたいわけではなく、特に緊急検体として急いで分析結果を知りたい検体について報告時刻を知りたいことが一般的である。特許文献１記載の技術では、すべての検体に対し、分析結果の報告時刻を算出し、表形式で表示するが、この表示では、自分が注目している検体の結果報告時刻がいつになるかを一目で知ることはできない。また、全ての検体について結果の報告時刻を計算することはコンピュータの負荷にもなり得、他の分析処理に悪影響を及ぼす懸念もある。
【０００５】
本発明の目的は、結果の報告時間を知りたい検体の分析状況がわかりやすいユーザインターフェースを備えた自動分析装置を提供することにある。
【課題を解決するための手段】
【０００６】
上記目的を達成するための本発明の構成は以下の通りである。
【０００７】
オペレーション中に常時操作画面上に表示されている緊急検体モニタ表示ボタンと、
該緊急検体モニタ表示ボタンの操作により、緊急検体に指定された検体の識別番号と、該緊急検体の分析状況を前記操作画面に一覧表示する制御手段と、
を備えた自動分析装置。
【発明の効果】
【０００８】
緊急検体の分析終了時刻の目安が分かるため、患者や医師への分析待ち時間通知ができるという利点があり、患者診断の効率的なスケジューリングができる。
【発明を実施するための最良の形態】
【０００９】
以下本発明を実施例により詳細に説明する。
【００１０】
図１は、本発明による自動分析装置における一実施例の概略構成図である。
【００１１】
図１において、自動分析装置は、制御部，格納部，分析部，攪拌部により構成されている。
【００１２】
制御部１１５は、各部の詳細な動作制御を行う電子回路や記憶装置により各部の動作を制御する。
【００１３】
格納部は、検体容器１１０を入れた検体格納部と試薬容器１１３を入れた試薬格納部
（試薬ディスク：１０３）から構成されている。
【００１４】
分析部は、分析部の反応容器１１２中で、検体と試薬が反応させたものに光源から光を透過させ、分光器１０７で組成分析を行う。
【００１５】
攪拌部１０６は、検体格納部から反応容器１１２に吐出された検体と、試薬格納部103から反応容器１１２に吐出された試薬を、圧電素子で発生した超音波により攪拌を行う。
【００１６】
攪拌部１０６と分析部にある反応容器１１２は、反応槽にためられた水を代表とする保温媒体に浸っており、一定の温度に保たれている。
【００１７】
また、これら複数の反応容器１１２は、反応ディスク１０４上に配置され、反応ディスクモータを制御部で制御することにより、反応ディスク１０４と共に回転又は移動し、攪拌部１０６と分光器１０７との間を行き来する。
【００１８】
図２は、本発明による自動分析装置におけるユーザーインターフェース画面表示例である。操作画面５０１上に構成されている機能ボタン部５０２の一つに緊急検体モニタボタン５０３がある。ユーザーが緊急検体モニタボタン５０３を画面に触れる等の操作で指示することによって、図３の緊急検体モニタ画面６０１が表示される。
【００１９】
緊急検体モニタボタン５０３を拡大した図が緊急検体モニタボタン拡大図５０４である。緊急検体モニタボタン５０３は、ボタンのタイトル５０５と投入後報告時間表示部506で構成されている。投入後報告時間表示部５０６は、ユーザーがその時点で緊急検体を投入した場合、どのくらいの時間で分析結果が出力されるかという情報を、簡単にわかりやすくユーザーに提示するための部分である。
【００２０】
投入後報告時間表示部５０６は、分析セット名５０７と投入後報告待ち時間５０８で構成されている。分析セット名５０７は、あらかじめユーザーによって設定されている分析項目構成の名前で、分析項目構成および分析セット名は、設定画面によりユーザーが自由に編集できる。投入後報告待ち時間５０８は、ユーザーが現時点で緊急検体を投入した場合に、分析セット名５０７の分析構成での分析結果報告までのおよその時間を示した物である。この投入後報告時間表示部５０６により、緊急検体投入前、ユーザーは緊急検体を今投入したら、依頼する分析項目によって、どのくらいの時間で分析結果が報告されるかということが、簡単に分かることができる。これにより、ユーザーは緊急検体の分析を、本装置にて行うか、小項目だが分析結果報告までの時間が短い、他の装置で分析するかを、選択する為の判断材料にすることができる。
【００２１】
また、これらのボタンや表示は、機能ボタン部５０２等の常に表示される場所に配置することにより、緊急検体モニタボタン５０３は、ユーザーが簡単に緊急検体モニタ画面
６０１に切替できるように、また簡単に投入後報告時間を把握できるようにすることができ、緊急時の操作の煩雑を防ぐことができる。
【００２２】
分析の終了時刻の算出は、特許文献１に記載された方法と同様の方法を用いることができる。すなわち、分析項目毎に過去に当該項目について分析に要した時間の平均値を記憶しておき、指定された緊急検体に割り付けられたすべての分析項目についての該平均値を加算して求める方法である。より精密に分析完了時刻を計算するためには、各分析装置で、指定した緊急検体が実際に分析開始されるまでの時間を上記加算平均値に加えることが有効である。緊急検体と言えども、それぞれの分析装置で分析待ちをしている通常検体を追い越して分析がされるとは限らない。各分析装置毎に待ち時間を計算することで、分析終了の予想時刻の精度を向上することができる。
【００２３】
図３は、ユーザーインターフェースの画面表示例である。
【００２４】
図３において、緊急検体モニタ画面６０１は、緊急検体の分析状況をユーザーに示すための画面である。緊急検体モニタ画面６０１は、検体情報表示部６０３と選択検体内の各分析項目の情報表示部６０７などで構成される。検体情報表示部６０３は、装置に登録された緊急検体の情報を表示するための物で、検体番号６０４，分析状況プログレスバー
６１３，検体ごとの全分析結果報告までの残り時間で構成される。分析状況プログレスバー６１３は、登録された分析項目がどれくらい分析終了したかをバーグラフによって示した物で、分析の進行に伴って単にバーが伸びるだけではなく、分析の処理の過程によって、バーの表示色を、未分注表示６１７，分注済表示６１６，分析中表示６１５，分析済表示６１４というように変化させることができる。これによりユーザーは分析進行状況を視覚的に理解することができる。また、全分析結果報告までの残り時間６０５には、全ての分析結果報告が終了するまでのおよその時間が表示される。
【００２５】
また、ユーザーが検体選択枠６０６により希望の検体のより詳しい分析情報を、選択検体内の各分析項目の情報表示部６０７に表示する。選択検体内の各分析項目の情報表示部６０７は、分析項目６０９と分析結果６１０で構成されている。
【図面の簡単な説明】
【００２６】
【図１】本発明の自動分析装置の一実施例の概略構成図。
【図２】本発明のＧＵＩ表示例。
【図３】本発明のＧＵＩ表示例。
【符号の説明】
【００２７】
１０１…搬送ライン、１０２…ローター、１０３…試薬ディスク、１０４…反応ディスク、１０５…分注機構、１０６…攪拌機構、１０７…分光器、１０８…反応容器洗浄機構、１０９…ノズル洗浄機構、１１０…検体容器、１１１…検体ラック、１１２…反応容器、１１３…試薬容器、１１４…シールド部、１１５…制御部、１１６…ノズル、１１７…液面センサ。
【図１】
2006242660.tif 000003
【図２】
2006242660.tif 000004
【図３】
2006242660.tif 000005